(57)【要約】【課題】１つの局の障害または伝送路の障害があっても、障害が発生した局以外の全ての局間で良好な音質の通話可能なオーダワイヤ伝送システムを得ること。【解決手段】オーダワイヤ伝送システムによる効果は、マスタ局またはスレーブ局に設置された複数の伝送装置が、リング状に２重化された伝送路で接続されてなるオーダワイヤ伝送システムにおいて、一方の伝送路上の回線の伝送方向は、他方の伝送路上の回線の伝送方向と反対であり、各伝送路が、伝送路の障害を検出し、他局に障害情報を伝達し、障害情報に基づいて伝送路を選択するループバック回線を含み、伝送路に障害が発生したとき、伝送路の障害のない箇所を使用したリング状の回線で伝送する。【選択図】        図１
2004254106.tif 000002
【特許請求の範囲】
【請求項１】
マスタ局およびスレーブ局に設置された複数の伝送装置が、リング状に２重化された伝送路で接続されてなるオーダワイヤ伝送システムにおいて、
上記一方の伝送路上の回線の伝送方向は、他方の伝送路上の回線の伝送方向と反対であり、
上記各伝送路が、
上記伝送路の障害を検出し、他局に障害情報を伝達し、障害情報に基づいて上記伝送路を選択するループバック回線を含み、
上記伝送路に障害が発生したとき、伝送路の障害のない箇所を使用し、連続した回線で伝送することを特徴とするオーダワイヤ伝送システム。
【請求項２】
一方の上記伝送路に障害が発生したとき、他方の伝送路上の回線に切り換えることを特徴とする請求項１に記載のオーダワイヤ伝送システム。
【請求項３】
上記伝送路の両方に障害が発生したとき、障害箇所に隣接した両方の伝送装置は、障害箇所と反対方向に伝送する回線で送信することを特徴とする請求項１に記載のオーダワイヤ伝送システム。
【請求項４】
上記伝送装置は、
上記伝送路の障害を検出する受信断検出器と、
検出された障害の情報に基づいて、上記伝送路を選択する伝送路選択部とを備えたことを特徴とする請求項１に記載のオーダワイヤ伝送システム。
【請求項５】
上記各伝送路が、
上記スレーブ局の音声データを多重化して伝送し、上記スレーブ局で多重化された音声データと上記マスタ局の音声データとを加算する多重回線と、
上記マスタ局で加算された音声データをスレーブ局に配信し、収得する配信回線とを含んだことを特徴とする請求項１に記載のオーダワイヤ伝送システム。
【請求項６】
上記スレーブ局となる上記伝送装置は、
上記伝送路の多重回線の無音の音声データまたは多重化された音声データを受信する多重回線受信部と、
受信した無音の音声データまたは多重化された音声データに別の音声データを加算するアナログ加算器と、
加算された音声データを送信する多重回線送信部と、
上記伝送路の配信回線に送信された音声データを受信する配信回線受信部と、
上記配信回線から受信した音声データを選択された上記伝送路の配信回線に送信する配信回線送信部とを備えたことを特徴とする請求項５に記載のオーダワイヤ伝送システム。
【請求項７】
上記マスタ局となる上記伝送装置は、
選択された上記伝送路の多重回線に無音の音声データを送信する多重回線送信部と、
多重回線で多重化された音声データを受信する多重回線受信部と、
受信した多重化された音声データに新たな音声データを加算するアナログ加算器と、
加算された音声データを選択された上記伝送路の配信回線に送信する配信回線送信部とを備えたことを特徴とする請求項５に記載のオーダワイヤ伝送システム。
【請求項８】
上記伝送装置は、圧縮解凍手段を備え、
音声データを圧縮解凍して伝送することにより、上記各伝送路上の上記多重回線、上記配信回線および上記ループバック回線の占めるフレーム長は８ビットであることを特徴とする請求項５に記載のオーダワイヤ伝送システム。
【発明の詳細な説明】
【０００１】
【発明の属する技術分野】
この発明は、複数の伝送装置を接続して、これらの伝送装置の間で音声データを送受信して複数の伝送装置間で通話することを可能にするオーダワイヤ伝送システムに関する。
【０００２】
【従来の技術】
従来のオーダワイヤ伝送システムは、利用者が入出力する端末を備えた伝送装置上に設けられた局と、複数の伝送装置を相互に接続する伝送路とを備え、これらの局間で同時通話を行うシステムである。このオーダワイヤ伝送システムは、このシステムが属する伝送システムの保守等の打ち合わせのとき、各伝送装置に接続された端末の利用者が一斉に通話をおこなうために利用される。このようなシステムでは、打ち合わせに参加する他のすべての伝送装置から送信された音声データを取り出し、モニタするために伝送路を接続する。また、伝送装置の内１つの伝送装置上にマスタ局として設け、このマスタ局は、２重化された伝送路の両方に自己の音声データを送出し、マスタ局以外のスレーブ局は、伝送路から他の局の音声データを受信すると共に、その音声データに自局音声データを加算して出力し、各局は、２重化された伝送路のうちのいずれかから必要な局の音声データを受信することによって同時通話を実現している（例えば、特許文献１参照。）。
【０００３】
【特許文献１】
特開平１１−４２４３号公報（第５頁、第１図）
【０００４】
【発明が解決しようとする課題】
従来のオーダワイヤ伝送システムでは、２重化された伝送路の両方に音声データを送信し、いずれか一方の伝送路から必要な局の音声データを取り出すといういわゆるパス切替方式を採用している。しかし、この方式は、１対１の通信を行っているとき、ある局に障害が発生しても、受信パスを切り替えることにより通信は可能であるが、オーダワイヤ伝送のように同時通話が必要な場合、ある局の障害により、マスタ局を挟んだ２局間のパスは通話が不可能になるという問題があった。
また、伝送路が正常な場合でもマスタ局の音声は、２重化された伝送路の両方から受信され、伝送装置の局数が多くなった場合、２重化された伝送路の遅延差により同じ音声がずれて聞こえてしまうという問題があった。
【０００５】
この発明の目的は、１つの局の障害または伝送路の障害があっても、障害が発生した局以外の任意の複数局間で良好な音質の通話可能なオーダワイヤ伝送システムを得ることである。
【０００６】
【課題を解決するための手段】
この発明に係わるオーダワイヤ伝送システムは、マスタ局またはスレーブ局に設置された複数の伝送装置が、リング状に２重化された伝送路で接続されてなるオーダワイヤ伝送システムにおいて、一方の伝送路上の回線の伝送方向は、他方の伝送路上の回線の伝送方向と反対であり、各伝送路が、伝送路の障害を検出し、他局に障害情報を伝達し、障害情報に基づいて伝送路を選択するループバック回線を含み、伝送路に障害が発生したとき、伝送路の障害のない箇所を使用し、連続した回線で伝送する。
【０００７】
【発明の実施の形態】
実施の形態１．
図１は、この発明の説明のための伝送路上に設けられた論理的回線のブロック図である。図２は、この発明の実施の形態１のオーダワイヤ伝送システムのネットワーク構成図である。図３は、図２の伝送装置に備えられたオーダワイヤ伝送部のブロック図である。
なお、この発明の説明では、光ファイバまたはツイストペア線などを通信媒体と称し、通信媒体と光送受信器などの送受信部を合わせたものを伝送路と称し、伝送路と通信者との間で処理を施す装置を伝送装置と称す。さらに、回線とは、伝送路および伝送装置を時分割などで分割して伝送路および伝送装置上に論理的に形成されたものである。
【０００８】
オーダワイヤ伝送システムの回線の論理的構成を図１を参照して説明する。オーダワイヤ伝送システムは、マスタ局１Ａおよびスレーブ局１Ｂ、１Ｃ、１Ｄと、局間をリング状に接続した複数の回線２とを備えている。ここでは詳しく説明しないが、特開２００１−３５８７３６号公報に示すように、自局の局優先順位を設定する局優先順位設定部と、局優先順位設定部により設定された局優先順位の情報を各局に送出する順位情報生成部と、受信した局優先順位の情報を抽出する局優先順位抽出部と、その情報に基づき局優先順位を決定する優先順位決定部とを備え、マスタ局およびスレーブ局として各局が決定されている。これら局優先順位設定部と順位情報生成部と局優先順位抽出部と優先順位決定部とは後述する伝送装置に備えられている。
回線２は、多重回線３と、配信回線４と、障害状態を伝送するループバック回線５とからなる。時分割多重通信装置では、通常８ビットを基本フレームとして１回線と呼んでいるので、この実施の形態１でも同様に各回線は８ビットからなるフレームで構成されている。
多重回線３は、多重化手段６と送受信手段７を備えている。マスタ局１Ａの多重化手段６は、スレーブ局１Ｂ、１Ｃ、１Ｄで加算された音声データに自局の音声データを加算する。スレーブ局１Ｂ、１Ｃ、１Ｄの多重化手段６は、マスタ局１Ａから送信されてきた無音の音声データに自局の音声データを加算する。マスタ局１Ａの送受信手段７は、無音の音声データを送信し、各スレーブ局１Ｂ、１Ｃ、１Ｄで多重化された音声データに自局の音声データを加算して多重済音声データを作成し、この多重済音声データを配信回線４へ渡す。スレーブ局１Ｂ、１Ｃ、１Ｄの送受信手段７は、無音の音声データまたは多重化した音声データを送受信する。
配信回線４は、送受信手段８と聴取手段９とを備えている。マスタ局１Ａの送受信手段８は多重回線３から渡された多重済音声データをスレーブ局に送信する。スレーブ局１Ｂ、１Ｃ、１Ｄの送受信手段８は、多重済音声データを受信し、後続のスリーブ局へ送信する。マスタ局１Ａおよびスレーブ局の聴取手段９は、多重済音声データを聴取する。
ループバック回線５は、受信断検出手段１０と、ループバックコード発生手段１１と、送受信手段１２と、伝送路選択手段１３とを備えている。
多重回線３と配信回線４とループバック回線５は、同一の方向から受信し、同一の方向に送信する。
【０００９】
次に、図２を参照してこの発明の実施の形態１のオーダワイヤ伝送システムを説明する。図２は、物理層として伝送路および伝送装置レベルで示してあり、物理層として回線レベルは、この伝送路および伝送装置の上に設けられている。
オーダワイヤ伝送システムは、０系伝送路１４と１系伝送路１５とからなる。伝送路１４、１５は、上述のように通信媒体と送受信部とを備えている。０系伝送路１４と１系伝送路１５は、リング上の逆方向に音声を伝達する。０系伝送路１４では、マスタ局１Ａから１Ｂ、１Ｃ、１Ｄの順番に音声データおよびループバックコードは送受信される。一方、０系伝送路１５では、マスタ局１Ａから１Ｄ、１Ｃ、１Ｂの順番に音声データおよびループバックコードは送受信される。０系伝送路１４および１系伝送路１５上にはそれぞれ論理上の多重回線３、配信回線４、ループバック回線５が設けられている。図２では、ループバック回線５ａ、５ｂを説明のために別の線で示してあるが、同一伝送路上に設けられている。局１には伝送装置１６が備えられ、伝送装置１６と伝送路１４、１５で上述した多重回線３、配信回線４およびループバック回線５の各手段の機能を果たす。図２は、伝送装置１６および伝送路１４、１５に障害が無く、０系伝送路１４が通信回線として選択されているときのオーダワイヤ伝送システムである。この場合、多重回線３と配信回線４とループバック回線５は、０系伝送路上１４に設けられている。
【００１０】
次に、伝送装置１６は、マスタ局用とスレーブ局用の２種類があり、図３に、双方が合わせて示してある。
最初にスレーブ局に使用される伝送装置１６に付いて説明する。伝送装置１６は、自局音声を入出力できる受話器等のハンドセット１７と、入力された自局音声データを増幅するボリューム付増幅器１８と、０系伝送路１４を経由して他局から伝送されてきた他局音声データを切り換える伝送路選択部１９と、切り換えられた他局音声データを受信する多重回線受信部２０と、受信された他局音声データをアナログ信号に変換する第１のＰＣＭコーデック２１と、この変換された他局音声データのアナログ信号とボリューム付増幅器１８から出力された自局音声データとを加算し、加算された音声信号を第１のＰＣＭコーデック２１に出力するアナログ加算器２２と、第１のＰＣＭコーデック２１でディジタル信号に変換された加算音声データを伝送路に送信する多重回線送信部２３と、マスタ局から送られてきた多重済音声データを受信する配信回線受信部２４と、受信された多重済音声データをアナログ信号に変換する第２のＰＣＭコーデック２５と、アナログ化された多重済音声データを増幅する固定増幅器２６と、固定増幅器２６で増幅された多重済音声データをさらに増幅するボリューム付増幅器２７とを備えている。
【００１１】
次に、マスタ局に使用される伝送装置１６について説明する。スレーブ局用と異なるところは、無音の音声データを多重回線に送信する多重回線送信部２３と、アナログ加算器２２の代わりに受信された他局音声データに自局音声データを加算し、多重済音声データを得て第２のＰＣＭコーデック２５に出力するアナログ加算器２８と、第２のＰＣＭコーデック２５でディジタル信号に変換された多重済音声データを配信回線に送信する配信回線送信部２９とが備わっているところである。
【００１２】
さらに、伝送装置１６は、伝送路の障害を受信レベルで検出する受信断検出器３０を備えている。さらに、伝送路選択部１９は、図４に示すようなループバックコードに基づき音声受信先および音声送信先を選択するための選択図を備えている。
【００１３】
多重回線３、配信回線４およびループバック回線５の各手段と物理層から見て下の階層の伝送装置１６および伝送路１４、１５の関係を説明する。
多重回線３の多重化手段６の機能は、伝送路および伝送装置の機能のうち、第１および第２のＰＣＭコーデック２１、２５と、加算器２２、２８と、ボリューム付増幅器１８と、ハンドセット１７の機能でカバーされている。多重回線３の送受信手段７の機能は、伝送路および伝送装置の機能のうち、伝送路選択部１９と、多重回線受信部２０と、多重回線送信部２３と、伝送路１４、１５の機能でカバーされている。
配信回線４の送受信手段８の機能は、伝送路および伝送装置の機能のうち、伝送路選択部１９と、配信回線受信部２４と、配信回線送信部２９と、伝送路１４、１５の機能でカバーされている。配信回線４の聴取手段９の機能は、伝送路および伝送装置の機能のうち、第２のＰＣＭコーデック２５と、固定増幅器２６と、ボリューム付増幅器２７と、ハンドセット１７の機能でカバーされている。
ループバック回線５の受信断検出手段１０の機能は、受信断検出器３０の機能でカバーされている。ループバック回線５のループバック発生手段１１と送受信手段１２と伝送路選択手段１３の機能は、伝送装置１６の伝送選択部２０の機能でカバーされている。
【００１４】
ループバック回線５は、伝送路１４、１５ごとに設けられ、ループバックコードを伝送する際に使用される。各伝送装置１６は、受信側伝送路に障害が無く、かつ受信したループバックコードがＡの場合、ループバックコードＡをループバック回線５に送出する。受信側伝送路に障害がある場合、もしくは受信したループバックコードがＢの場合、各伝送装置１６は、ループバックコードＢをループバック回線５に送出する。受信したループバックコードに従い、各伝送装置１６は、図４の選択図に基づいて音声受信先と音声送信先を決定する。
【００１５】
次に、オーダワイヤ伝送システムの動作を説明する。まず、図２に示すような０系伝送路１４にも１系伝送路１５にも障害が無い場合について説明する。
マスタ局１Ａは、多重回線３へ無音の音声データを送信する。スレーブ局１Ｂは、自局音声を受話器等のハンドセット１７から入力し、自局音声をボリューム付増幅器１８で増幅する。また、スレーブ局１Ｂは、多重回線３を経由してマスタ局１Ａから伝送されてきた無音の音声データを、多重回線受信部２０で受信する。続いて、多重回線受信部２０で受信した無音の音声データを、第１のＰＣＭコーデック２１でアナログ信号に変換する。次に、この無音の音声データのアナログ信号とボリューム付増幅器１８から出力された自局音声データとを、アナログ信号加算器２２で加算する。次に、この加算した多重音声データを、第１のＰＣＭコーデック２１でディジタル信号に変換する。次に、このディジタル化された多重音声データを、伝送路２に障害が無い場合、多重回線送信部２３、伝送路選択部１９、０系伝送路１４を経由してスレーブ局１Ｃに送信する。スレーブ局１Ｃは、受信した多重音声データとスレーブ局１Ｃで新たに加える自局音声データを、同様な処理を施して、スレーブ局１Ｄに送信する。さらに、スレーブ局１Ｄは、同様な処理を施して、マスタ局１Ａへ多重音声データを送信する。多重回線３を経由してスレーブ局１Ｄから伝送されてきた多重音声データを受信したマスタ局１Ａは、多重回線受信部２０で受信し、第１のＰＣＭコーデック２１で多重音声データをアナログ信号に変換し、アナログ加算器２８で多重音声データと自局音声データとを加算して多重済音声データを作成し、第２のＰＣＭコーデック２５で多重済音声データをディジタル信号に変換する。次に、伝送路に障害無い場合、ディジタル多重済音声データを配信回線送信部２９、伝送路選択部１９を経由させて、０系伝送路１４の配信回線４に送信する。
【００１６】
スレーブ局１Ｂ、１Ｃ、１Ｄは、配信回線を経由し、配信回線受信部２４で受信した多重済音声データを第２のＰＣＭコーデック２５に送るとともに配信回線送信部２９を通して後続のスレーブ局に配信する。さらに、スレーブ局１Ｂ、１Ｃ、１Ｄは、多重済音声データを第２のＰＣＭコーデック２５でアナログ信号に変換し、固定増幅器２６、ボリューム付増幅器２７を通してハンドセット１７で音声に変換する。マスタ局１Ａは、配信回線３から受信した多重済音声データを、すでに他局へ伝送しているので、再度他の局へ配信しない。
【００１７】
マスタ局１Ａおよびスレーブ局１Ｂ、１Ｃ、１Ｄは音声データの送受信と同時にループバックコードをループバック回線５で他局へ伝送する。図２のオーダワイヤ伝送システムは障害がないので、各局はループバックコードＡを受信し、ループバックコードＡを送信する。ループバックコードＡを受信した伝送路選択部１９は、図４に示すように０系伝送路を音声受信先および音声送信先と決定する。この動作説明はリング状に伝送路をつないだ場合、オーダワイヤ伝送が可能であることがわかる。
【００１８】
次に、伝送障害がある場合のオーダワイヤ伝送システムの動作を説明する。この説明では、多重回線３と配信回線４は、同一の方向から受信し、同一の方向に送信するものとする。
図５は、０系、１系両伝送路にスレーブ局１Ｃとスレーブ局１Ｄとの間で障害があるオーダワイヤ伝送システムを示している。この場合、スレーブ局１Ｃの受信断検出器３０は、１系伝送路１５の受信側で受信断を検出し、スレーブ局１Ｄの受信断検出器３０は、０系伝送路１４の受信側で受信断を検出する。この受信断の検出に伴って、スレーブ局１Ｃは、１系伝送路１５の送信側にループバックコードＢを送出する。さらに、スレーブ局１Ｄは、０系伝送路１４の送信側にループバックコードＢを送出する。マスタ局１Ａおよびスレーブ局１Ｂは、０系伝送路１４および１系伝送路１５でループバックコードを中継するので、オーダワイヤ伝送システム全体のループバック回線５はループバックコードＢで埋められる。図４の選択図に従い受信伝送路、送信伝送路を決定すると、図５の太線に示すようなリング状の伝送路ができあがり、オーダワイヤ伝送が可能となる。
【００１９】
このようなオーダワイヤ伝送システムは、両方の伝送路に障害が発生しても、ループバックする回線を障害の発生していない箇所を使用して設けて、オーダワイヤ伝送ができる。
【００２０】
図６は、スレーブ局１Ｃとスレーブ局１Ｄの間で０系伝送路１４のみ障害があった場合のオーダワイヤ伝送システムのブロック図である。スレーブ局１Ｄの受信断検出器３０は、０系伝送路１４の受信側で受信断を検出し、スレーブ局１Ｄは、０系伝送路１４の送信側にループバックコードＢを送信する。これにより０系伝送路１４は、ループバックコードＢで埋められるが、１系伝送路１５は、ループバックコードＡで埋められているため、各伝送装置は、図４の選択図に従い１系伝送路１５を選択し、１系伝送路１５でリング状の伝送路（図６の太線参照）ができるので、オーダワイヤ伝送が可能となる。
【００２１】
このようなオーダワイヤ伝送システムは、障害の発生した伝送路から障害のない伝送路に切り換えることで、オーダワイヤ伝送ができる。
【００２２】
図７（ａ）は、スレーブ局１Ｃに電源断等の障害があった場合のオーダワイヤ伝送システムのブロック図である。また、図７（ｂ）は、図７（ａ）の障害が復旧した場合のオーダワイヤ伝送システムのブロック図である。スレーブ局１Ｃに電源断等の障害があった場合、スレーブ局１Ｄの受信断検出器３０は、０系伝送路１４の受信側で受信断を検出し、スレーブ局１Ｂの受信断検出器３０は、１系伝送路１５の受信側で受信断を検出する。その後の動作は、図５と同様であり、スレーブ局１Ｂとスレーブ局１Ｄは、ループバックコードを各伝送路に送信し、残った伝送装置は、図４の選択図に従い伝送路を選択し、リング状の伝送路ができ、スレーブ局１Ｃを除いた局間でオーダワイヤ伝送が可能となる。次にスレーブ局１Ｃの障害が復旧した場合、スレーブ局１Ｃは、一定期間の間アイドルパターン（ループバックコードＡでもループバックコードＢでもないパターン）を送出する。これにより、伝送路上のループバックコードはいったんリセットされる。一定期間終了後、ループバックコードＢを受信していなければ、スレーブ局１Ｃは、０系伝送路、１系伝送路共にループバックコードＡを送信する。これにより、すべての伝送路は、ループバックコードＡで埋められ、図２の状態に復帰する。
なお、マスタ局に障害が発生したとき、各局は故障したマスタ局の優先順位が一番下位になったので、自動的に従来故障したマスタ局の次に優先順位の高いスレーブ局がマスタ局に遷移して、マスタ局の役割を果たす。
従って、伝送装置に障害が発生した場合、残された伝送路と局でリング状の伝送路を設けることができ、オーダワイヤ伝送ができる。
【００２３】
このようなオーダワイヤ伝送システムは、２重化された伝送路において、障害が発生した場合、ループバックコードによる伝送路選択により、残った伝送路でリング状の伝送路を確保するので、オーダワイヤ伝送が可能となる。
【００２４】
さらに、多重回線と配信回線を設けることにより、複数局の音声データを多重回線で集め、その多重済音声データを配信回線で配信するように構成したので、２回線の確保のみで効率よく複数局間のオーダワイヤ伝送が可能となる。
【００２５】
さらに、配信回線で配信される多重済音声データは、その送受信はスレーブ局を周回したあとマスタ局で終わっており、１周回を越えて配信されることがないように構成したので、自己の音声データは再び加算されることが無く、入力音声データと出力音声データとの干渉によるいわゆる飽和（ハウリング）現象を誘発しない。
【００２６】
さらに、伝送路選択部は、ループバックコードに基づいて伝送路を選択するので、障害時に自動的に伝送路を切り換えることができる。
【００２７】
さらに、マスタ局では、無声の音声データを多重回線に送出でき、多重化された音声データを配信回線へ配信することができる。
【００２８】
さらに、スレーブ局では、音声データを多重化でき、配信回線から他局からの音声データを受信することができる。
【００２９】
なお、アナログ音声処理および加算処理は、ＰＣＭコーデックとアナログ加算器を用いる構成にしてあるが、ＤＳＰ（Ｄｉｇｉｔａｌ  Ｓｉｇｎａｌ  Ｐｒｏｃｅｓｓｏｒ）等を用いて、ディジタル信号のまま処理することもできる。
また、マスタ局に障害があった場合は、スレーブ局のうち１局をマスタ局に遷移させることにより、通話を確保することができる。
【００３０】
実施の形態２．
図８は、この発明の実施の形態２のオーダワイヤ伝送システムのオーダワイタ伝送部のブロック図である。図９は、この実施の形態２の回線アサイン図である。伝送路１４、１５は、１回線（８ビット）をビット分割し、多重回線は４ビット、配信回線は３ビット、ループバック回線は１ビットをそれぞれアサインして、上述の回線合わせて８ビットのフレーム長になっている。さらに、伝送装置１６は、ＡＤＰＣＭ等の周知の圧縮アルゴリズムを備えた圧縮解凍手段３１を備えている。多重回線３、配信回線４で送信される音声データは、圧縮解凍手段３１で圧縮して送信し、受信後解凍して多重化および聴取される。ループバックコードは、１ビットを用いてシリアル通信により送信され、ループバックコードＡとループバックコードＢを見分けている。
【００３１】
圧縮アルゴリズムを用いて圧縮した３回線分の音声データは、１回線（８ビット）分の中に入れられるので、伝送路の効率的な運用ができる。
【００３２】
【発明の効果】
この発明のオーダワイヤ伝送システムによる効果は、マスタ局またはスレーブ局に設置された複数の伝送装置が、リング状に２重化された伝送路で接続されてなるオーダワイヤ伝送システムにおいて、一方の伝送路上の回線の伝送方向は、他方の伝送路上の回線の伝送方向と反対であり、各伝送路が、伝送路の障害を検出し、他局に障害情報を伝達し、障害情報に基づいて伝送路を選択するループバック回線を含み、伝送路に障害が発生したとき、伝送路の障害のない箇所を使用したリング状の回線で伝送するので、障害が発生した場合でも、ループパック回線を設け、ループバックコードによる伝送路選択により、残った伝送路でリング上の伝送路を確保するので、オーダワイヤ伝送が可能となる。
【図面の簡単な説明】
【図１】この発明の説明のための伝送路上に設けられた論理的回線のブロック図である。
【図２】この発明の実施の形態１のオーダワイヤ伝送システムのネットワーク構成図である。
【図３】図２の伝送装置のブロック図である。
【図４】ループバックコードに基づく伝送路選択図である。
【図５】図１の障害発生時のブロック図である。
【図６】図１の異なる箇所での障害発生時のブロック図である。
【図７】図１の異なる箇所での障害発生時のブロック図である。
【図８】この発明の実施の形態２のオーダワイヤ伝送システムの伝送装置のブロック図である。
【図９】図８の回線アサイン図である。
【符号の説明】
１Ａ  マスタ局、１Ｂ、１Ｃ、１Ｄ  スレープ局、２  回線、３  多重回線、４  配信回線、５  ループバック回線、５ａ  ０系ループバック回線、５ｂ  １系ループバック回線、６  多重化手段、７、８、１２  送受信手段、９  聴取手段、１０  受信断検出手段、１１  ループバックコード発生手段、１３  伝送路選択手段、１４  ０系伝送路、１５  １系伝送路、１６  伝送装置、１７  ハンドセット、１８、２７  ボリューム付増幅器、１９  伝送路選択部、２０  多重回線受信部、２１、２５  ＰＣＭコーデック、２２、２８  アナログ加算器、２３  多重回線送信部、２４  配信回線受信部、２６  固定増幅器、２９  配信回線送信部、３０  受信断検出器、３１  圧縮解凍手段。
【図１】
2004254106.tif 000003
【図２】
2004254106.tif 000004
【図３】
2004254106.tif 000005
【図４】
2004254106.tif 000006
【図５】
2004254106.tif 000007
【図６】
2004254106.tif 000008
【図７】
2004254106.tif 000009
【図８】
2004254106.tif 000010
【図９】
2004254106.tif 000011